(57)【特許請求の範囲】
【請求項１】
複数の通信手段を搭載した無線通信機器であって、
対向情報機器とのデータ通信が可能な状態になった場合、
前記対向情報機器からの送信データを受信した後に、
該送信データの受信に適用された通信手段とは異なる通信手段を用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用された通信手段とは異なる通信手段を用いて、該送信データの解析結果を示す応答データを、
前記対向情報機器から受信するという送信と受信との動作を交互に繰り返すか
のいずれかの動作を行うことを特徴とする無線通信機器であって、
前記送信データに適用するプロファイルがＡ２ＤＰプロファイル（Advanced  Audio  Distribution  Profile）であり、
前記応答データに適用するプロファイルがＡＶＲＣＰプロファイル（Audio／Video  Remote  Control  Profile）である無線通信機器。
【請求項２】
無線通信を行うための複数のプロトコルを搭載した無線通信機器であって、
対向情報機器とのデータ通信が可能な状態になった場合、
前記対向情報機器からの送信データを受信した後に、
該送信データの受信に適用されたプロトコルとは異なるプロトコルを用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用されたプロトコルとは異なるプロトコルを用いて、該送信データの解析結果を示す応答データを、
前記対向情報機器から受信するという送信と受信との動作を交互に繰り返すか
のいずれかの動作を行うことを特徴とする無線通信機器であって、
前記送信データに適用するプロファイルがＡ２ＤＰプロファイル（Advanced  Audio  Distribution  Profile）であり、
前記応答データに適用するプロファイルがＡＶＲＣＰプロファイル（Audio／Video  Remote  Control  Profile）である無線通信機器。
【請求項３】
近距離無線通信を行うための複数のプロトコルを搭載した近距離無線通信機器であって、
対向情報機器とのデータ通信が可能な状態になった場合、
前記対向情報機器からの送信データを受信した後に、
該送信データの受信に適用されたプロトコルとは異なるプロトコルを用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用されたプロトコルとは異なるプロトコルを用いて、該送信データの解析結果を示す応答データを、
前記対向情報機器から受信するという送信と受信との動作を交互に繰り返すか
のいずれかの動作を行うことを特徴とする近距離無線通信機器であって、
前記送信データに適用するプロファイルがＡ２ＤＰプロファイル（Advanced  Audio  Distribution  Profile）であり、
前記応答データに適用するプロファイルがＡＶＲＣＰプロファイル（Audio／Video  Remote  Control  Profile）である近距離無線通信機器。
【請求項４】
Ｂｌｕｅｔｏｏｔｈ（登録商標）近距離無線通信方式の複数のプロファイルを搭載した近距離無線通信機器であって、
対向情報機器とのデータ通信が可能な状態になった場合、
前記対向情報機器からの送信データを受信した後に、
該送信データの受信に適用されたプロファイルとは異なるプロファイルを用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用されたプロファイルとは異なるプロファイルを用いて、該送信データの解析結果を示す応答データを、
前記対向情報機器から受信するという送信と受信との動作を交互に繰り返すか
のいずれかの動作を行うことを特徴とする近距離無線通信機器であって、
前記送信データに適用する前記プロファイルがＡ２ＤＰプロファイル（Advanced  Audio  Distribution  Profile）であり、
前記応答データに適用する前記プロファイルがＡＶＲＣＰプロファイル（Audio／Video  Remote  Control  Profile）である近距離無線通信機器。
【請求項５】
前記送信データは
音声帯域信号からなるＤＴＭＦ(Dial  Tone  Multiplexed  Frequency)信号を用いて構成され、
前記応答データは
肯定応答を示すＡＣＫ（Acknowledgement）信号または否定応答を示すＮＡＫ（Negative  Acknowledgement）信号を用いて構成される
ことを特徴とする請求項４に記載の近距離無線通信機器。
【請求項６】
複数の通信手段を用いる無線通信方法であって、
対向情報機器とのデータ通信が可能な状態になった場合、
前記対向情報機器からの送信データを受信した後に、
該送信データの受信に適用された通信手段とは異なる通信手段を用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用された通信手段とは異なる通信手段を用いて、該送信データの解析結果を示す応答データを、
前記対向情報機器から受信するという送信と受信との動作を交互に繰り返すか
のいずれかの動作を行うことを特徴とする無線通信方法であって、
前記送信データに適用するプロファイルがＡ２ＤＰプロファイル（Advanced  Audio  Distribution  Profile）であり、
前記応答データに適用するプロファイルがＡＶＲＣＰプロファイル（Audio／Video  Remote  Control  Profile）である無線通信方法。
【請求項７】
無線通信を行うための複数のプロトコルを用いる無線通信方法であって、
対向情報機器とのデータ通信が可能な状態になった場合、
前記対向情報機器からの送信データを受信した後に、
該送信データの受信に適用されたプロトコルとは異なるプロトコルを用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用されたプロトコルとは異なるプロトコルを用いて、該送信データの解析結果を示す応答データを、
前記対向情報機器から受信するという送信と受信との動作を交互に繰り返すか
のいずれかの動作を行うことを特徴とする無線通信方法であって、
前記送信データに適用するプロファイルがＡ２ＤＰプロファイル（Advanced  Audio  Distribution  Profile）であり、
前記応答データに適用するプロファイルがＡＶＲＣＰプロファイル（Audio／Video  Remote  Control  Profile）である無線通信方法。
【請求項８】
近距離無線通信を行うための複数のプロトコルを用いる近距離無線通信方法であって、
対向情報機器とのデータ通信が可能な状態になった場合、
前記対向情報機器からの送信データを受信した後に、
該送信データの受信に適用されたプロトコルとは異なるプロトコルを用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用されたプロトコルとは異なるプロトコルを用いて、該送信データの解析結果を示す応答データを、
前記対向情報機器から受信するという送信と受信との動作を交互に繰り返すか
のいずれかの動作を行うことを特徴とする近距離無線通信方法であって、
前記送信データに適用するプロファイルがＡ２ＤＰプロファイル（Advanced  Audio  Distribution  Profile）であり、
前記応答データに適用するプロファイルがＡＶＲＣＰプロファイル（Audio／Video  Remote  Control  Profile）である近距離無線通信方法。
【請求項９】
Ｂｌｕｅｔｏｏｔｈ（登録商標）近距離無線通信方式の複数のプロファイルを用いる近距離無線通信方法であって、
対向情報機器とのデータ通信が可能な状態になった場合、
前記対向情報機器からの送信データを受信した後に、
該送信データの受信に適用されたプロファイルとは異なるプロファイルを用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用されたプロファイルとは異なるプロファイルを用いて、該送信データの解析結果を示す応答データを、
前記対向情報機器から受信するという送信と受信との動作を交互に繰り返すか
のいずれかの動作を行うことを特徴とする近距離無線通信方法であって、
前記送信データに適用する前記プロファイルがＡ２ＤＰプロファイル（Advanced  Audio  Distribution  Profile）であり、
前記応答データに適用する前記プロファイルがＡＶＲＣＰプロファイル（Audio／Video  Remote  Control  Profile）である近距離無線通信方法。
【請求項１０】
前記送信データは
音声帯域信号からなるＤＴＭＦ(Dial  Tone  Multiplexed  Frequency)信号を用いて構成され、
前記応答データは
肯定応答を示すＡＣＫ（Acknowledgement）信号または否定応答を示すＮＡＫ（Negative  Acknowledgement）信号を用いて構成される
ことを特徴とする請求項９に記載の近距離無線通信方法。
【発明の詳細な説明】
【技術分野】
【０００１】
本発明は、無線通信機器、近距離無線通信機器、無線通信方法および近距離無線通信方法に関する。
【背景技術】
【０００２】
近距離無線通信技術の代表例であるＢｌｕｅｔｏｏｔｈ(登録商標)技術を適用した近距離無線通信機器としては、例えば、ヘッドセット／イアホン／スピーカ等の音響機器と、このような音響機器に再生音楽を送信する携帯音楽プレーヤ（携帯電話機等を含む）や、あるいは、無線リモコン等の操作機器と、このような操作機器により操作される側の対向機器であるＴＶ、音楽プレーヤ、携帯端末等の機器がある。
【０００３】
前記音響機器用の近距離無線通信プロファイル（プロトコル）としては、特許文献１の特開２０１０−４４８５号公報「リモコン制御方法、装置およびリモコン制御システム」等に記載れているように、ステレオ音質の音響データをストリーミング配信するためのＡ２ＤＰプロファイル（Advanced  Audio  Distribution  Profile）が一般的であり、また、前記無線リモコン用の近距離無線通信プロファイル（プロトコル）としては、対向機器をリモート操作するためのＡＶＲＣＰプロファイル（Audio／Video  Remote  Control  Profile）が一般的である。
【０００４】
これらの一般的な近距離無線通信用のプロファイル（プロトコル）を備えた近距離無線通信機器であっても、該近距離無線通信機器（例えば、音響再生機能＋リモコン機能を備えたヘッドセット）と対向情報機器（例えば、携帯電話機やタブレット端末等の携帯情報端末）との間でのデータ通信をＢｌｕｅｔｏｏｔｈ上で行うことは、通常できない。しかし、例えば、該ヘッドセットが備える機能の初期設定や設定変更を別の情報機器から行おうとする場合等には、ヘッドセットとその別の情報機器（対向情報機器）との間でデータ通信を行うことが必要となる。このようなデータ通信をＢｌｕｅｔｏｏｔｈ上で行うためには、仮想シリアルポートを設定したＰＣ（Personal  Computer）を接続するＳＰＰ（Serial  Port  Profile）プロファイルやマスタ・スレーブＰＣ間の無線接続を行うＰＡＮ（Personal  Area  Networking  Profile）プロファイルといったデータ通信専用のプロファイルが必要であり、データ通信用のＳＰＰ／ＰＡＮ（Serial  Port  Profile／Personal  Area  Networking  Profile）等のプロファイルを新たに該近距離無線通信機器に実装しなければならない。
【先行技術文献】
【特許文献】
【０００５】
【特許文献１】特開２０１０−４４８５号公報（第３−４頁）
【発明の概要】
【発明が解決しようとする課題】
【０００６】
前述したように、音響機能や映像機能や携帯情報機能等を備えた一般的な近距離無線通信機器（例えば、音響再生機能＋リモコン機能を備えたヘッドセット）に、通常のＢｌｕｅｔｏｏｔｈプロファイルとして一般的なＡ２ＤＰやＡＶＲＣＰのような近距離無線通信プロファイル（プロトコル）を備えていても、何らかのデータ通信を行うためには、たとえ簡易的なデータ通信であっても、ＳＰＰ／ＰＡＮ等のプロファイルをさらに追加して実装することが必要であり、或る程度のコストアップを避けることができない。
【０００７】
また、ＳＰＰ／ＰＡＮ等のようなデータ通信専用のＢｌｕｅｔｏｏｔｈプロファイルは、現状、Ｂｌｕｅｔｏｏｔｈ対応のＴＶ、音楽プレーヤ、携帯電話機やタブレット端末等の携帯情報端末を含む全ての機器に搭載されているわけではなく、近距離無線通信機能を搭載する市場出荷品に対してのカバー率が十分ではないので、たとえ簡易的なデータ通信を行なおうとしても、既存のＢｌｕｅｔｏｏｔｈ対応機器の多くを改造することが必要になってしまう。
【０００８】
したがって、一般的な近距離無線通信機器には通常実装済みになっている一般的なプロファイル（Ａ２ＤＰ／ＡＶＲＣＰ）を利用した簡易的なデータ通信方法の実現が望まれる。しかし、現状のＢｌｕｅｔｏｏｔｈ通信においては、Ａ２ＤＰ／ＡＶＲＣＰプロファイルを利用してデータ通信を行う場合、そのデータ通信は、マスタ機器→スレーブ機器、または、スレーブ機器→マスタ機器というように、一方的なデータ送信方向でのみ行われている。そこで、このような既存の機器間で行われているデータ通信では、送信データの信頼性に問題があり、通信の正当性を確保することが困難である。
【０００９】
（本発明の目的）
本発明は、かかる事情に鑑みてなされたものであり、送信データの信頼性、正当性を確保することが可能な無線通信機器、近距離無線通信機器、無線通信方法および近距離無線通信方法を提供することを、その目的としている。
【課題を解決するための手段】
【００１０】
前述の課題を解決するため、本発明による無線通信機器、近距離無線通信機器、無線通信方法および近距離無線通信方法は、主に、次のような特徴的な構成を採用している。
【００１１】
（１）本発明による無線通信機器は、複数の通信手段を搭載した無線通信機器であって、
対向情報機器とのデータ通信が可能な状態になった場合、
前記対向情報機器からの送信データを受信した後に、該送信データの受信に適用された通信手段とは異なる通信手段を用いて、受信した該送信データの解析結果を示す応答データを、前記対向情報機器に送信するという受信と送信との動作を交互に繰り返すか、
または、
前記対向情報機器に対して送信データを送信した後に、該送信データの送信に適用された通信手段とは異なる通信手段を用いて、該送信データの解析結果を示す応答データを、前記対向情報機器から受信するという送信と受信との動作を交互に繰り返すか
のいずれかの動作を行うことを特徴とする。
【００１２】
（２）本発明による無線通信機器は、無線通信を行うための複数のプロとコルを搭載した無線通信機器であって、
対向情報機器とのデータ通信が可能な状態になった場合、
前記対向情報機器からの送信データを受信した後に、該送信データの受信に適用されたプロトコルとは異なるプロトコルを用いて、受信した該送信データの解析結果を示す応答データを、前記対向情報機器に送信するという受信と送信との動作を交互に繰り返すか、
または、
前記対向情報機器に対して送信データを送信した後に、該送信データの送信に適用されたプロトコルとは異なるプロトコルを用いて、該送信データの解析結果を示す応答データを、前記対向情報機器から受信するという送信と受信との動作を交互に繰り返すか
のいずれかの動作を行うことを特徴とする。
【００１３】
（３）本発明による近距離無線通信機器は、近距離無線通信を行うための複数のプロとコルを搭載した近距離無線通信機器であって、
対向情報機器とのデータ通信が可能な状態になった場合、
前記対向情報機器からの送信データを受信した後に、該送信データの受信に適用されたプロトコルとは異なるプロトコルを用いて、受信した該送信データの解析結果を示す応答データを、前記対向情報機器に送信するという受信と送信との動作を交互に繰り返すか、
または、
前記対向情報機器に対して送信データを送信した後に、該送信データの送信に適用されたプロトコルとは異なるプロトコルを用いて、該送信データの解析結果を示す応答データを、前記対向情報機器から受信するという送信と受信との動作を交互に繰り返すか
のいずれかの動作を行うことを特徴とする。
【００１４】
（４）本発明による近距離無線通信機器は、Ｂｌｕｅｔｏｏｔｈ近距離無線通信方式の複数のプロファイルを搭載した近距離無線通信機器であって、
対向情報機器とのデータ通信が可能な状態になった場合、
前記対向情報機器からの送信データを受信した後に、該送信データの受信に適用されたプロファイルとは異なるプロファイルを用いて、受信した該送信データの解析結果を示す応答データを、前記対向情報機器に送信するという受信と送信との動作を交互に繰り返すか、
または、
前記対向情報機器に対して送信データを送信した後に、該送信データの送信に適用されたプロファイルとは異なるプロファイルを用いて、該送信データの解析結果を示す応答データを、前記対向情報機器から受信するという受信と送信との動作を交互に繰り返すか
のいずれかの動作を行うことを特徴とする。
【００１５】
（５）本発明による無線通信方法は、複数の通信手段を用いる無線通信方法であって、
対向情報機器とのデータ通信が可能な状態になった場合、
前記対向情報機器からの送信データを受信した後に、
該送信データの受信に適用された通信手段とは異なる通信手段を用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用された通信手段とは異なる通信手段を用いて、該送信データの解析結果を示す応答データを、
前記対向情報機器から受信するという送信と受信との動作を交互に繰り返すか
のいずれかの動作を行うことを特徴とする。
【００１６】
（６）本発明による無線通信方法は、無線通信を行うための複数のプロトコルを用いる無線通信方法であって、
対向情報機器とのデータ通信が可能な状態になった場合、
前記対向情報機器からの送信データを受信した後に、
該送信データの受信に適用されたプロトコルとは異なるプロトコルを用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用されたプロトコルとは異なるプロトコルを用いて、該送信データの解析結果を示す応答データを、
前記対向情報機器から受信するという送信と受信との動作を交互に繰り返すか
のいずれかの動作を行うことを特徴とする。
【００１７】
（７）本発明による近距離無線通信方法は、近距離無線通信を行うための複数のプロトコルを用いる近距離無線通信方法であって、
対向情報機器とのデータ通信が可能な状態になった場合、
前記対向情報機器からの送信データを受信した後に、
該送信データの受信に適用されたプロトコルとは異なるプロトコルを用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用されたプロトコルとは異なるプロトコルを用いて、該送信データの解析結果を示す応答データを、
前記対向情報機器から受信するという送信と受信との動作を交互に繰り返すか
のいずれかの動作を行うことを特徴とする。
【００１８】
（８）本発明による近距離無線通信方法は、Ｂｌｕｅｔｏｏｔｈ近距離無線通信方式の複数のプロファイルを用いる近距離無線通信方法であって、
対向情報機器とのデータ通信が可能な状態になった場合、
前記対向情報機器からの送信データを受信した後に、
該送信データの受信に適用されたプロファイルとは異なるプロファイルを用いて、受信した該送信データの解析結果を示す応答データを、
前記対向情報機器に送信するという受信と送信との動作を交互に繰り返すか、
または、
前記対向情報機器に対して送信データを送信した後に、
該送信データの送信に適用されたプロファイルとは異なるプロファイルを用いて、該送信データの解析結果を示す応答データを、
前記対向情報機器から受信するという送信と受信との動作を交互に繰り返すか
のいずれかの動作を行うことを特徴とする。
【発明の効果】
【００１９】
本発明の無線通信機器、近距離無線通信機器、無線通信方法および近距離無線通信方法によれば、以下のような効果を奏することができる。
【００２０】
本発明においては、例えば、Ｂｌｕｅｔｏｏｔｈ近距離無線通信方式の複数のプロファイルを搭載したスレーブ側の近距離無線通信機器にマスタ側の対向情報機器が近接した位置に存在して、相互のデータ通信が可能な状態になった場合、送信データを、マスタ側の対向情報機器からスレーブ側の近距離無線通信機器への下り回線またはスレーブ側の近距離無線通信機器からマスタ側の対向情報機器への上り回線に送信し、該送信データに適用するプロファイルとは異なるプロファイルを用いて、該送信データの解析結果を示す応答データを、スレーブ側の近距離無線通信機器からマスタ側の対向情報機器への上り回線またはマスタ側の対向情報機器からスレーブ側の近距離無線通信機器への下り回線に返送する、という動作を交互に繰り返すことを実現している。而して、送受信データの交互監視を実現することができ、近距離無線通信機器、対向情報機器の双方で送受信するデータの信頼性・正当性を確実に確保することができる。
【図面の簡単な説明】
【００２１】
【図１】本発明に係る近距離無線通信機器の一構成例を示すブロック構成図である。
【図２】図１に示すスレーブ側の近距離無線通信機器とマスタ側の対向情報機器との間の信号の送受信シーケンスの一例を示すシーケンス図である。
【図３】図１に示すマスタ側の対向情報機器が音声データ１信号として送信する数値データの一例を示すテーブルである。
【図４】図１に示すスレーブ側の近距離無線通信機器とマスタ側の対向情報機器との間で正常な音声データ１信号の送受信が行われた場合の信号シーケンスの一例を示すシーケンス図である。
【図５】図１に示すスレーブ側の近距離無線通信機器とマスタ側の対向情報機器との間で音声データ１信号の再送が行われた場合の信号シーケンスの一例を示すシーケンス図である。
【発明を実施するための形態】
【００２２】
以下、本発明による無線通信機器、近距離無線通信機器、無線通信方法および近距離無線通信方法の好適な実施形態について添付図を参照して説明する。なお、以下の説明においては、本発明による近距離無線通信機器の一例として、Ｂｌｕｅｔｏｏｔｈ近距離無線通信方式の複数のプロファイルを搭載した近距離無線通信機器について説明するが、ＮＦＣ（Near  Field  Communication）方式やＲＦＩＤ（Radio  Frequency  IDentification）方式等における複数の近距離無線通信用のプロトコルを搭載した近距離無線通信機器についても、Ｂｌｕｅｔｏｏｔｈ近距離無線通信方式の複数のプロファイルの代わりに、複数の近距離無線通信用のプロトコルを用いることにより、Ｂｌｕｅｔｏｏｔｈ近距離無線通信方式の近距離無線通信機器の場合と全く同様に適用することができる。さらには、無線ＬＡＮ（Local  Area  Network）、Ｗｉ−Ｆｉ（Wireless  Fidelity）や公衆無線ＬＡＮ、ＷｉＭＡＸ（Worldwide  Interoperability  for  Microwave  Access）、ＬＴＥ（Long  Term  Evolution）等の複数の無線通信用の通信手段を搭載した無線通信機器や、ＦＴＰ（File  Transfer  Protocol）、ＨＴＴＰ（Hyper-Text  Transport  Protocol）、ＭＱＴＴ（Message  Queuing  Telemetry  Transport）、ＣｏＡＰ（Constrained  Application  Protocol）等の複数の無線通信用のプロトコルを搭載した無線通信機器についても、Ｂｌｕｅｔｏｏｔｈ近距離無線通信方式の複数のプロファイルの代わりに、それぞれ、複数の通信手段、複数のプロトコルを用いることにより、Ｂｌｕｅｔｏｏｔｈ近距離無線通信方式の近距離無線通信機器の場合と同様に適用することができることも言うまでもない。また、以下の各図面に付した参照符号は、理解を助けるための一例として各要素に便宜上付記したものであり、本発明を図示の態様に限定することを意図するものではないことも言うまでもない。
【００２３】
（本発明の特徴）
本発明の実施形態の説明に先立って、本発明の特徴についてその概要をまず説明する。本発明は、例えば、Ｂｌｕｅｔｏｏｔｈ近距離無線通信の上り回線と下り回線とで異なるプロファイルを用いてデータ通信を行うことにより通信の信頼性・正当性を確保可能にすることを主要な特徴としている。より具体的には、例えば、殆どの携帯電話機やタブレット端末等の情報機器に近距離無線通信手段として搭載されているＢｌｕｅｔｏｏｔｈ通信のＡ２ＤＰ／ＡＶＲＣＰプロファイルをデータ通信の交互監視用のプロファイルとして利用することによって、信頼性の高いデータ通信を行うことができるのみならず、機器の適用可能範囲を示すカバー率を大幅に向上させることができ、また、Ａ２ＤＰプロファイルは、音楽再生用の一般的なプロファイルであるので、汎用の音響機器にも搭載されており、安価に入手することが可能であることを特徴の一つとしている。
【００２４】
例えば、Ｂｌｕｅｔｏｏｔｈ通信のＡ２ＤＰ／ＡＶＲＣＰプロファイルを搭載している近距離無線通信機器の機器Ａ（例：音響再生機能＋リモコン機能を備えたヘッドセット）と対向情報機器の機器Ｂ（例：携帯情報端末）との間の機器間通信として、以下に示すように、上り回線と下り回線とのそれぞれで異なるプロファイル（通信手段）を用いることによって、双方向のデータ通信（例えば、携帯情報端末により、ヘッドセットが備える機能の一つである初期設定や設定変更をするためのデータ通信）を行うことができる。
【００２５】
以下に本発明の実施形態を挙げ、本発明を一層詳しく説明するが、この実施形態では、双方向のデータ通信における下り回線および上り回線として、具体的には次の例を挙げて説明している。
１）下り回線（機器Ａ（例：ヘッドセット）←対抗機器Ｂ（例：携帯情報端末））
：Ａ２ＤＰプロファイルを適用して、音声帯域信号であるＤＴＭＦ(Dial  
Tone  Multiplexed  Frequency)信号（１〜９、０、＊、＃、Ａ、Ｂ、Ｃ、
Ｄ）を用いて、データを送信する。
２）上り回線（機器Ａ（例：ヘッドセット）→対抗機器Ｂ（例：携帯情報端末））
：ＡＶＲＣＰプロファイルを適用して、ＡＣＫ（Acknowledgement：肯定応
答）、ＮＡＫ（Negative  Acknowledgement：否定応答）等の応答データ
を送信する。
【００２６】
（実施形態例の構成例） 
次に、本発明に係る近距離無線通信機器の一実施形態について図面を参照しながら詳細に説明する。図１は、本発明に係る近距離無線通信機器の一構成例を示すブロック構成図である。
【００２７】
図１に示す近距離無線通信機器１０は、Ａ２ＤＰ／ＡＶＲＣＰプロファイルを保有するＢｌｕｅｔｏｏｔｈモジュール１１、および、ＣＰＵ（Central  Processing  Unit）１２を、備えて構成されており、Ｂｌｕｅｔｏｏｔｈモジュール１１とＣＰＵ１２とは、直接接続されている。Ｂｌｕｅｔｏｏｔｈモジュール１１は、一般的なＡ２ＤＰ／ＡＶＲＣＰプロファイルを実装するものであり、汎用品として、現在、市場において容易に入手することが可能である。ここで、近距離無線通信機器１０は、例えば、音響再生機能＋リモコン機能を備えたヘッドセットである。
【００２８】
Ａ２ＤＰ／ＡＶＲＣＰプロファイルを用いたＢｌｕｅｔｏｏｔｈ通信が可能な携帯電話機やタブレット端末などの対向情報機器２０が近接した位置に存在する際に、Ｂｌｕｅｔｏｏｔｈモジュール１１は、該対向情報機器２０をマスタ（Ｍａｓｔｅｒ）として、Ａ２ＤＰ／ＡＶＲＣＰプロファイルを用いてデータ通信を行うことが可能になる。ここで、対向情報機器２０は、例えば、携帯電話機やタブレット端末等の携帯情報端末である。
【００２９】
つまり、マスタ側の対向情報機器２０からスレーブ側の近距離無線通信機器１０へ向かう下り回線には、図１に破線で示すように、Ａ２ＤＰプロファイル３１を適用して、音声帯域信号であるＤＴＭＦ（Dial  Tone  Multiplexed  Frequency)信号（１〜９、０、＊、＃、Ａ、Ｂ、Ｃ、Ｄ）やモデム信号等を用いたデータ信号が送信され、Ｂｌｕｅｔｏｏｔｈモジュール１１は、Ａ２ＤＰプロファイルを用いて対向情報機器２０からの該データ信号を受信する。
【００３０】
また、スレーブ側の近距離無線通信機器１０からマスタ側の対向情報機器２０へ向かう上り回線には、図１に実線で示すように、ＡＶＲＣＰプロファイル３２を適用して、Ｂｌｕｅｔｏｏｔｈモジュール１１は、ＡＣＫ（Acknowledgement：肯定応答）、ＮＡＫ（Negative  Acknowledgement：否定応答）等の応答データや対向情報機器２０の動作を制御するための制御信号を送信する。
【００３１】
ＣＰＵ１２は、直接接続されているＢｌｕｅｔｏｏｔｈモジュール１１から、マスタ側の対向情報機器２０から受信した音声帯域信号からなるデータ信号を受け取り、該データ信号を解析して、数値化するとともに、その解析結果に基づく応答として、Ｂｌｕｅｔｏｏｔｈモジュール１１の応答信号（ＡＣＫ、ＮＡＫ）を生成したり、対向情報機器２０を制御するための制御信号（例えば、対向情報機器２０が音響機器であった場合には、音楽の早送り・巻き戻し・再生・停止等のコマンド）を生成したりして、Ｂｌｕｅｔｏｏｔｈモジュール１１に送る。
【００３２】
（実施形態の動作例の説明）
次に、図１に示した近距離無線通信機器１０の動作について、その一例を詳細に説明する。ここで、前述したように、スレーブ側の近距離無線通信機器１０のＣＰＵ１２は、マスタ側の対向情報機器２０からＢｌｕｅｔｏｏｔｈモジュール１１を介して受け取った音声帯域信号からなるデータ信号を解析して数値化することが可能であり、かつ、Ｂｌｕｅｔｏｏｔｈモジュール１１を直接制御して、ＡＶＲＣＰプロファイルの２つ以上のコマンドを、Ｂｌｕｅｔｏｏｔｈ通信を利用して、マスタ側の対向情報機器２０に対して制御信号として送信することが可能である。
【００３３】
図２は、図１に示すスレーブ側の近距離無線通信機器１０とマスタ側の対向情報機器２０との間の信号の送受信シーケンスの一例を示すシーケンス図であり、基本制御方式として、基本的な制御信号のやり取りを示している。なお、図２のシーケンス図の凡例（図上部の枠内）に示すように、破線で示す信号は、Ａ２ＤＰプロファイルを利用した音声帯域信号（ＤＴＭＦ信号など）によるデータ信号（音声データ信号）であり、実線で示す信号は、ＡＶＲＣＰプロファイルを利用した制御信号（コマンド信号）である。
【００３４】
ここで、図２においては、マスタ側の対向情報機器２０から受け取った音声データ信号に対する応答信号として、ＡＶＲＣＰプロファイルを利用したコマンド信号を用い、一つをＡＣＫ信号として、また、他の一つをＮＡＫ信号として割り当てている。つまり、図２のシーケンス図は、スレーブ側の近距離無線通信機器１０から返送する応答信号により、マスタ側の対向情報機器２０からの送信データの正当性を、マスタ側の対向情報機器２０に対して通知することにより、送信データ信号と応答信号との交互監視動作としての相互確認を行いながら、データの送受信を行う場合を示している。
【００３５】
図２のシーケンス図において、まず、マスタ側の対向情報機器２０が、Ａ２ＤＰプロファイルを利用して、ＤＴＭＦ信号からなる音声データ１信号を、スレーブ側の近距離無線通信機器１０に対して送信する（シーケンスＳｅｑ１）。該音声データ１信号は、例えば、図３に示すような数値データをＤＴＭＦ信号からなる音声帯域信号に変換したものを用いているものとする。図３は、図１に示すマスタ側の対向情報機器２０が音声データ１信号として送信する数値データの一例を示すテーブルであり、図３（Ａ）が、該数値データの構成を説明するテーブルであり、図３（Ｂ）が、数値データの一例を示すテーブルである。
【００３６】
図３（Ａ）に示すように、数値データは、シーケンス番号やデータ長やチェックサムを含む既存のパケット形式のデータ構成であって、４ビット（オクテット）単位に区切られた可変長のデータからなり、先頭の第１オクテット目がシーケンス番号、次の第２オクテット目がデータ長、その次の第３オクテット目以降に可変長のデータが続き、最後の２オクテットに、チェックサム（上位）とチェックサム（下位）とが設定される構成となっている。ここで、チェックサム（上位）、チェックサム（下位）には、例えば、チェックサムを除く数値データの総和の下位８ビットを４ビットずつ割り当てるものとする。
【００３７】
例えば、図３（Ｂ）に示す数値データの場合、１６進数表示で示しているが、先頭の第１オクテット目のシーケンス番号が［１］、次の第２オクテット目のデータ長が［４］、その次の第３オクテット目から第６オクテット目までの４オクテットが送信すべきデータを示す［Ａ６Ｂ４］であり、最後の第７、第８オクテット目のチェックサム（上位）、チェックサム（下位）が［２］、［４］であり、マスタ側の対向情報機器２０が音声データ１信号として送信すべき数値データが、［１，４，Ａ，６，Ｂ，４，２，４］の８オクテットのパケットである場合を例示している。
【００３８】
マスタ側の対向情報機器２０が音声データ１信号として送信するＤＴＭＦ信号は、前述のように、４ビットで表現される信号であり、マスタ側の対向情報機器２０は、図３（Ｂ）に示したような４ビットずつに区切られた数値データを、先頭から４ビット単位ずつ順番にＤＴＭＦ信号に変換して、音声データ１信号として連続的に送信している。
【００３９】
図２のシーケンス図に戻って、スレーブ側の近距離無線通信機器１０のＣＰＵ１２は、Ｂｌｕｅｔｏｏｔｈモジュール１１を介して、マスタ側の対向情報機器２０から送信されてきたＤＴＭＦ信号からなる音声データ１信号を受け取ると、該音声データ１信号を順次解析して、元の数値データに変換する。しかる後、ＣＰＵ１２は、変換した数値データが、使用するプロトコルを満足しているか否かを確認し（図３（Ｂ）の例においては、チェックサムによるチェック結果が正しいか否かを確認し）、満足している場合には、正常なデータを受け取った旨を示すＡＣＫ応答を生成して、Ｂｌｕｅｔｏｏｔｈモジュール１１を介して、ＡＶＲＣＰプロファイルを利用して、マスタ側の対向情報機器２０に対して返送する（シーケンスＳｅｑ２）。
【００４０】
この結果、マスタ側の対向情報機器２０とスレーブ側の近距離無線通信機器１０との間の通信データの正当性が確立される。したがって、マスタ側の対向情報機器２０は、図４に示すように、次のデータ（ＤＴＭＦ信号から成る音声データ信号）を、音声データ２信号として送信することが可能な状態になる（シーケンスＳｅｑ３）。図４は、図１に示すスレーブ側の近距離無線通信機器１０とマスタ側の対向情報機器２０との間で正常な音声データ１信号の送受信が行われた場合の信号シーケンスの一例を示すシーケンス図である。
【００４１】
他方、ＣＰＵ１２は、音声データ１信号を受け取り、該音声データ１信号を順次解析して、元の数値データに変換したとき、変換した数値データが、使用するプロトコルを満足しないときは、該音声データ１信号が異常であると判定する。このとき、ＣＰＵ１２は、正常なデータを受け取ることができなかった旨を示すＮＡＫ応答を生成して、Ｂｌｕｅｔｏｏｔｈモジュール１１を介して、ＡＶＲＣＰプロファイルを利用して、マスタ側の対向情報機器２０に対して返送する（シーケンスＳｅｑ２）。ＮＡＫ応答を受け取ったマスタ側の対向情報機器２０は、スレーブ側の近距離無線通信機器１０に対するデータ送信に失敗したことを認識して、図５に示すように、再送動作に移り、同じデータを再送用の音声データ１信号として、スレーブ側の近距離無線通信機器１０に対して再送する（シーケンスＳｅｑ１１）。このように、マスタ側の対向情報機器２０からスレーブ側の近距離無線通信機器１０へ送信した音声データ１がプロトコルを満足していることをＣＰＵ１２が確認し、その確認の結果としてマスタ側の対向情報機器２０がＡＣＫ信号を受信するまでは、マスタ側の対向情報機器２０は音声データ信号２を送信しない。このような手順を経ることにより、マスタ側の対向情報機器２０とスレーブ側の近距離無線通信機器１０との間の通信データの信頼性を確保することができる。図５は、図１に示すスレーブ側の近距離無線通信機器１０とマスタ側の対向情報機器２０との間で音声データ１信号の再送が行われた場合の信号シーケンスの一例を示すシーケンス図である。
【００４２】
なお、前述の実施形態においては、マスタ側の対向情報機器２０からスレーブ側の近距離無線通信機器１０への下り回線にＡ２ＤＰプロファイルを適用してデータ信号を送信し、該データ信号を受信したスレーブ側の近距離無線通信機器１０からマスタ側の対向情報機器２０への上り回線にＡＶＲＣＰプロファイルを適用して該データ信号の解析結果に応じた応答信号を返送する動作例を説明したが、送信データ信号と応答信号との送受信方向が逆方向であってもよい。
【００４３】
すなわち、スレーブ側の近距離無線通信機器１０からマスタ側の対向情報機器２０への上り回線にＡ２ＤＰプロファイルを適用してデータ信号を送信し、該データ信号を受信したマスタ側の対向情報機器２０からスレーブ側の近距離無線通信機器１０への下り回線にＡＶＲＣＰプロファイルを適用して該データ信号の解析結果に応じた応答信号を返送するように動作することも可能である。
【００４４】
また、前述の実施形態においては、マスタ側の対向情報機器２０からスレーブ側の近距離無線通信機器１０への下り回線にデータ信号を送信するためのＡ２ＤＰプロファイルを適用し、スレーブ側の近距離無線通信機器１０からマスタ側の対向情報機器２０への上り回線に応答信号を送信するためのＡＶＲＣＰプロファイルを適用する場合について説明したが、本発明はかかる場合のみに限るものではない。
【００４５】
すなわち、例えば、ＨＳＰプロファイル(Handset  Profile)やＨＩＤプロファイル（Human  Interface  Device  Profile）やＰＡＮプロファイル（Personal  Area  Networking  Profile）等も利用して、下り回線に適用するプロファイルと上り回線に適用するプロファイルとにおいて、互いに異なるプロファイルを用いて、双方向のデータ通信を可能にし、送信データ信号と応答信号との交互の送受信動作を可能にするものであれば、如何なるプロファイルを用いても差し支えない。
【００４６】
（実施形態の効果の説明）
以上に詳細に説明したように、本実施形態においては、次のような効果が得られる。
【００４７】
本実施形態においては、Ｂｌｕｅｔｏｏｔｈ近距離無線通信方式の複数のプロファイルを搭載したスレーブ側の近距離無線通信機器１０にマスタ側の対向情報機器２０が近接した位置に存在して、相互のデータ通信が可能な状態になった場合、送信データを、マスタ側の対向情報機器２０からスレーブ側の近距離無線通信機器１０への下り回線またはスレーブ側の近距離無線通信機器１０からマスタ側の対向情報機器２０への上り回線に送信し、該送信データに適用するプロファイルとは異なるプロファイルを用いて、該送信データの解析結果を示す応答データを、スレーブ側の近距離無線通信機器１０からマスタ側の対向情報機器２０への上り回線またはマスタ側の対向情報機器２０からスレーブ側の近距離無線通信機器１０への下り回線に返送する、という動作を交互に繰り返すことを実現している。而して、マスタ側の対向情報機器２０とスレーブ側の近距離無線通信機器１０との双方で交互監視する動作が行われ、送受信するデータの信頼性・正当性を確実に確保することができる。
【００４８】
より具体的には、図１のブロック構成図および図２のシーケンス図に示したように、マスタ側の対向情報機器２０からのＡ２ＤＰプロファイルを利用したＤＴＭＦ信号（音声帯域信号）からなる音声データの送信動作（シーケンスＳｅｑ１）、スレーブ側の近距離無線通信機器１０からのＡＶＲＣＰプロファイルを利用した応答データの送信動作（シーケンスＳｅｑ２）を交互に繰り返すことによって、または、逆方向に、スレーブ側の近距離無線通信機器１０からの音声データの送信動作とマスタ側の対向情報機器２０からの応答データの送信動作とを交互に繰り返すことによって、両者間のデータ通信の正当性、信頼性を確保することが、Ｂｌｕｅｔｏｏｔｈモジュール１１として一般的なＡ２ＤＰ／ＡＶＲＣＰプロファイル搭載の汎用的なモジュールを用いるだけで可能になる。つまり、Ｂｌｕｅｔｏｏｔｈモジュール１１として市場に数多く出回っている廉価なＢｌｕｅｔｏｏｔｈモジュールを用いるだけでＤＴＭＦ信号等という音声帯域信号を利用した簡易的なデータ通信を行うことが可能になると同時に、データ通信の正当性、信頼性を確保することも可能になる。
【００４９】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形、変更が可能であることは、当業者には容易に理解できよう。
【符号の説明】
【００５０】
１０      近距離無線通信機器
１１      Ｂｌｕｅｔｏｏｔｈモジュール
１２      ＣＰＵ（Central  Processing  Unit）
２０      対向情報機器
３１      Ａ２ＤＰプロファイル
３２      ＡＶＲＣＰプロファイル
【要約】
【課題】送信データの信頼性、正当性を確保可能な無線通信機器、例えばＢｌｕｅｔｏｏｔｈ方式の近距離無線通信機器を提供する。
【解決手段】Ｂｌｕｅｔｏｏｔｈ方式の近距離無線通信機器１０は、マスタ側の対向情報機器２０が近接した位置に存在して、データ通信が可能な状態になった場合、マスタ側の対向情報機器２０からのＡ２ＤＰプロファイル適用の送信データをＤＴＭＦ信号として受信した後、ＡＶＲＣＰプロファイルを用いて、該送信データの解析結果を示す応答データとしてＡＣＫ信号またはＮＡＫ信号を、マスタ側の対向情報機器２０に返送するか、または、マスタ側の対向情報機器２０に対してＡ２ＤＰプロファイル適用の送信データを送信した後、ＡＶＲＣＰプロファイルを用いて、該送信データの解析結果を示す応答データを、マスタ側の対向情報機器２０から受信する、という交互監視動作を交互に繰り返す。
【選択図】        図１【図１】
0005959031.tif 000002
【図２】
0005959031.tif 000003
【図３】
0005959031.tif 000004
【図４】
0005959031.tif 000005
【図５】
0005959031.tif 000006